(57)【要約】【課題】視聴者の視聴者の操作した情報に基づいて、次回表示するスライドの表示順序や表示時間を自動的に変更し、視聴者が関心を持っているスライドを優先的に表示し、より長時間表示させることを可能としたスライド表示装置を提供する。【解決手段】スライドデータが入力されるスライドデータ入力部１５と、視聴者が、表示部２が表示するスライドに対して所定の操作を行う操作部１４と、視聴者が操作部１４を操作した操作情報を記憶する記憶部１９と、記憶部１９に記憶された操作情報に基づいて重要度を決定する重要度決定手段１２ａと、重要度決定手段１２ａが決定した重要度に基づいて、個々のスライドの表示順序及び表示時間の少なくとも一方を決定する表示決定手段１２ｂを有する。【選択図】図２
2009042336.tif 000002
【特許請求の範囲】
【請求項１】
少なくとも1つのスライドから構成されるスライドデータを表示する表示部と、
スライドデータが入力されるスライドデータ入力部と、
視聴者が表示部に表示するスライドに対して所定の操作を行う操作部と、
視聴者が操作部を操作した操作情報を記憶する記憶部と、
前記記憶部に記憶された操作情報に基づいて重要度を決定する重要度決定手段と、
前記重要度決定手段が決定した重要度に基づいて、個々のスライドの選択、表示順序及び表示時間の少なくとも一方を決定する表示決定手段を有することを特徴とするスライド表示装置。
【請求項２】
重要度が所定の閾値を超えた場合に、表示決定手段は、個々のスライドの選択、表示順序及びスライドの表示時間の少なくとも一方を変更することを特徴とする請求項１に記載のスライド表示装置。
【請求項３】
所定の操作は、表示部で表示する個々のスライドの一時停止、飛ばし、戻し、指定の少なくとも１つの操作であることを特徴とする請求項１又は請求項２のいずれかに記載のスライド表示装置。
【請求項４】
重要度決定手段は、表示部で表示された個々のスライドの表示時間に基づいて重要度を決定することを特徴する請求項１〜請求項３のいずれかに記載のスライド表示装置。
【請求項５】
重要度決定手段は、表示部で表示された個々のスライドの表示回数に基づいて重要度を決定することを特徴する請求項１〜請求項４のいずれかに記載のスライド表示装置。
【請求項６】
重要度決定手段は、表示部で表示された個々のスライドの再投影回数に基づいて重要度を決定することを特徴する請求項１〜請求項５のいずれかに記載のスライド表示装置。
【請求項７】
視聴者が所持する電子タグを読み取ることにより、視聴者の人数を計数するタグリーダを有し、
重要度決定手段は、個々のスライドが表示されている際の、前記前記タグリーダが計数した視聴者の人数に基づいて重要度を決定することを特徴する請求項１〜請求項６のいずれかに記載のスライド表示装置。
【請求項８】
視聴者が所持する電子タグに記憶された視聴者の視聴者情報を読み取るタグリーダを有し、
表示決定手段は、前記タグリーダが読み取った属性情報に基づいて、表示部で表示する個々のスライドの選択、表示順序、表示時間の少なくとも１つを決定することを特徴する請求項１〜請求項７のいずれかに記載のスライド表示装置。
【発明の詳細な説明】
【技術分野】
【０００１】
本発明は、視聴者の操作情報等に基づいて個々のスライドの選択、表示順序や表示時間を変更するスライド表示装置に関するものである。
【背景技術】
【０００２】
従来から、製品展示会等において、プロジェクタ等を用いて、自動的に広告用のスライドを表示する装置が知られている。例えば、特許文献１に記載の広告用ディスプレー装置は、視聴者が装置に近づくと、装置に設けられたセンサーが視聴者を検出し、商品広告用の映像情報を表示するものである。この装置には、商品説明の詳しさを段階的に異ならせた複数の映像情報が記憶されており、装置近傍に購買者がいるか否かを判断し、購買者がいると判断した場合に後の広告映像を表示させるようにして、関心の度合いに応じた情報を購買者に提供することができるようになっている。
しかしながら、特許文献１に記載のディスプレー装置は、視聴者がどのような視聴者であっても、同じ処理を行って広告映像を表示させるようにしているので、最初に表示されるのは常に概要説明からであり、視聴者が関心を持っている情報が、なかなか表示されないという問題があった。
【特許文献１】特開２０００−２６７６１２号公報
【発明の開示】
【発明が解決しようとする課題】
【０００３】
本発明は上記問題を解決し、視聴者の操作した情報に基づいて、次回表示するスライドの選択、表示順序や表示時間を自動的に変更し、視聴者が関心を持っているスライドを優先的に表示し、より長時間表示させることを可能としたスライド表示装置を提供する。
【課題を解決するための手段】
【０００４】
上記課題を解決するためになされた請求項１に記載の本発明は、
少なくとも１以上のスライドから構成されるスライドデータを表示する表示部と、
スライドデータが入力されるスライドデータ入力部と、
視聴者が表示部に表示するスライドに対して所定の操作を行う操作部と、
視聴者が操作部を操作した操作情報を記憶する記憶部と、
前記記憶部に記憶された操作情報に基づいて重要度を決定する重要度決定手段と、
前記重要度決定手段が決定した重要度に基づいて、個々のスライドの選択、表示順序及び表示時間の少なくとも一方を決定する表示決定手段を有することを特徴とする。
【０００５】
また、請求項２に記載の発明は、重要度が所定の閾値を超えた場合に、表示決定手段は、個々のスライドの選択、表示順序及びスライドの表示時間の少なくとも一方を変更することを特徴とする。
【０００６】
また、請求項３に記載の発明の所定の操作は、表示部で表示する個々のスライドの一時停止、飛ばし、戻し、指定の少なくとも１つの操作であることを特徴とする。
【０００７】
また、請求項４に記載の発明の重要度決定手段は、表示部で表示された個々のスライドの表示時間に基づいて重要度を決定することを特徴する。
【０００８】
また、請求項５に記載の発明の重要度決定手段は、表示部で表示された個々のスライドの表示回数に基づいて重要度を決定することを特徴する。
【０００９】
また、請求項６に記載の発明の重要度決定手段は、表示部で表示された個々のスライドの再投影回数に基づいて重要度を決定することを特徴する。
【００１０】
また、請求項７に記載の発明は、視聴者が所持する電子タグを読み取ることにより、視聴者の人数を計数するタグリーダを有し、
重要度決定手段は、個々のスライドが表示されている際の、前記前記タグリーダが計数した視聴者の人数に基づいて重要度を決定することを特徴する。
【００１１】
また、請求項８に記載の発明は、視聴者が所持する電子タグに記憶された視聴者の視聴者情報を読み取るタグリーダを有し、
表示決定手段は、前記タグリーダが読み取った属性情報に基づいて、表示部で表示する個々のスライドの選択、表示順序、表示時間の少なくとも１つを決定することを特徴とする。
【発明の効果】
【００１２】
請求項１に記載の本発明によれば、少なくとも１以上のスライドから構成されるスライドデータを表示する表示部と、スライドデータが入力されるスライドデータ入力部と、視聴者が表示部に表示するスライドに対して所定の操作を行う操作部と、視聴者が操作部を操作した操作情報を記憶する記憶部と、前記記憶部に記憶された操作情報に基づいて重要度を決定する重要度決定手段と、前記重要度決定手段が決定した重要度に基づいて、個々のスライドの選択、表示順序及び表示時間の少なくとも一方を決定する表示決定手段を有するので、視聴者の関心の高いスライドを優先的に表示し、また、視聴者の関心の高いスライドをより長時間表示することが可能となった。
【００１３】
また、請求項２に記載の本発明によれば、重要度が所定の閾値を超えた場合に、表示決定手段は、個々のスライドの選択、表示順序及びスライドの表示時間の少なくとも一方を変更することとしたので、視聴者の繰り返しの操作部の所定の操作によって、重要度が変更され、より信頼性が高く、スライドを選択し、スライドの表示順序や表示時間を変更することが可能となった。
【００１４】
また、請求項３に記載の本発明の所定の操作は、表示部で表示する個々のスライドの一時停止、飛ばし、戻し、指定の少なくとも１つの操作としたので、視聴者がスライドを一次停止・戻し・指定した場合には当該スライドの関心が高く、視聴者がスライドを飛ばした場合には、当該スライドの関心が低いとみなすことができることから、次回スライドを表示する際に、より視聴者の関心を、スライドの表示順や表示時間に反映させることが可能となった。
【００１５】
また、請求項４に記載の発明によれば、重要度決定手段は、表示部で表示された個々のスライドの表示時間に基づいて重要度を決定することとしたので、前回、長時間表示したスライドの重要度は高くなることから、次回スライドを表示する際に、視聴者の関心の高いスライドを優先的に表示し、また、視聴者の関心の高いスライドを再び長時間表示することが可能となった。
【００１６】
また、請求項５に記載の発明によれば、重要度決定手段は、表示部で表示された個々のスライドの表示回数に基づいて重要度を決定することとしたので、視聴者が操作部を操作して、あるスライドに戻った場合や、あるスライドを指定した場合には、当該スライドの表示回数が多くなることから、重要度は大きくなり、過去の視聴者の関心の高さを重要度に反映させることが可能となり、次回スライドを表示する際に、視聴者の関心の高いスライドを優先的に表示し、視聴者の関心の高いスライドをより長時間表示することが可能となった。
【００１７】
また、請求項６に記載の発明によれば、重要度決定手段は、表示部で表示された個々のスライドの再投影回数に基づいて重要度を決定することとしたので、視聴者が操作部を操作して、あるスライドに戻った場合や、あるスライドを指定した場合には、当該スライドの再投影回数が多くなることから、重要度は大きくなり、過去の視聴者の関心の高さを重要度に反映させることが可能となり、次回スライドを表示する際に、視聴者の関心の高いスライドを優先的に表示し、視聴者の関心の高いスライドをより長時間表示することが可能となった。
【００１８】
また、請求項７に記載の発明によれば、視聴者が所持する電子タグを読み取ることにより、視聴者の人数を計数するタグリーダを有し、重要度決定手段は、個々のスライドが表示されている際の、前記前記タグリーダが計数した視聴者の人数に基づいて重要度を決定することとしたので、視聴者の関心の高いスライドの重要度が上がることから、次回スライドを表示する際に、視聴者の関心の高いスライドを優先的に表示し、視聴者の関心の高いスライドをより長時間表示することが可能となった。
【００１９】
また、請求項８に記載の発明によれば、視聴者が所持する電子タグに記憶された視聴者の視聴者情報を読み取るタグリーダを有し、表示決定手段は、前記タグリーダが読み取った属性情報に基づいて、表示部で表示する個々のスライドの選択、表示順序、表示時間の少なくとも１つを決定することとしたので、視聴者の属性や来場目的に合わせたスライドのみを選択し、視聴者の関心が高いスライドのみが優先的に表示され、また、視聴者の関心の高いスライドをより長時間表示することが可能となった。
【発明を実施するための最良の形態】
【００２０】
（全体の概要）
以下に、図面を参照しつつ本発明の好ましい実施の形態を示す。
図１は本発明の実施の形態を示す全体概要図である。本発明のスライド表示装置１００は、スライド表示装置本体１とリモートコントローラ４０とから構成されている。なお、本実施形態では、スライド表示装置本体１は、プロジェクタであり、スクリーン７５等にスライド８０を投影して表示するものである。
【００２１】
（スライド表示装置本体１の構成）
図２にスライド表示装置の構成図を示す。図２に示されるように、スライド表示装置本体１は、ＣＰＵ（Ｃｅｎｔｒａｌ  Ｐｒｏｃｅｓｓｉｎｇ  Ｕｎｉｔの略）１１、ＲＯＭ（Ｒｅａｄ  Ｏｎｌｙ  Ｍｅｍｏｒｙの略）１２、ＲＡＭ（Ｒａｎｄｏｍ  Ａｃｃｅｓｓ  Ｍｅｍｏｒｙの略）１３、操作パネル１４、タグリーダ１７、赤外線受信部１８、記憶部１９、スライドデータ入力部１５及び画像処理回路２８を有し、これらはすべてバス１０により相互に接続している。スライド表示装置本体１は、ランプ駆動回路２１から供給される電力により発光するランプ等の光源２２と、この光源２２が発光した拡散光を集光し、より均一な照明光をＬＣＤ２４（Ｌｉｑｕｉｄ  Ｃｌｙｓｔａｌ  Ｄｉｓｐｌａｙの略、液晶表示素子）に照射する照明光学系２３と、照明光を入力して各画素に階調を表現してスライドを生成するＬＣＤ２４と、このＬＣＤ２４が生成したスライドをスクリーン７５に投影する結像光学系２５とを備えている。なお、ＬＣＤ２４の代わりに、ＤＭＤ（Ｄｉｇｉｔａｌ  Ｍｉｃｒｏｍｉｒｒｏｒ  Ｄｅｖｉｃｅ）を用いても差し支えない。
【００２２】
ＣＰＵ１１は、ＲＡＭ１３、ＲＯＭ１２と協動して、各種演算、処理、バスの統括制御等を行う。ＲＡＭ１３は、ＣＰＵ１１が各種演算、処理の際使用する、各種データを一時的に記憶するものである。
【００２３】
ＲＯＭ１２には、スライド表示装置本体１を制御するためのアプリケーションソフトが記憶されている。アプリケーションソフトは、ＣＰＵ１１で処理されることにより、各種機能を実現している。ＲＯＭ１２には、後述する重要度決定手段１２ａや表示決定手段１２ｂが記憶されている。
【００２４】
記憶部１９は、ハードディスク、ＲＡＭや不揮発性メモリー等により構成されて、後述する「スライドデータ」、「操作情報」、「重要度」等を記憶するものである。
【００２５】
スライドデータ入力部１５は、「コンピュータ装置」や「記憶媒体」等の外部から「スライドデータ」が入力され、「スライドデータ」を取得するためのものである。このスライドデータ入力部１５のインターフェースとして、ＬＡＮ（Ｌｏｃａｌ  Ａｒｅａ  Ｎｅｔｗｏｒｋ）や、ＵＳＢ（Ｕｎｖｅｒｓａｌ  Ｓｅｒｉａｌ  Ｂｕｓの略、ＵＳＢ１．０、ＵＳＢ１．１、ＵＳＢ２．０を含む）、ＩＥＥＥ１３９４、ＲＳ２３２、ＲＳ４２２、電話回線その他通信インターフェースを含めることができる。
【００２６】
あるいはスライドデータ入力部１５として、無線を用いたものであってもよく、この場合のインターフェースとしては、ＩＥＥＥ８０２に規定されているいわゆる無線ＬＡＮやＢｌｕｅｔｏｏｔｈ、その他の無線インターフェースを含めることができる。また、スライドデータ入力部１５として、「記憶媒体」に記憶されている「スライドデータ」を取得するようなインターフェースであっても差し支えない。なお、「記憶媒体」には、コンパクトフラッシュ（登録商標）、ＭＭＣ（マルチメディアカード）、ＳＤメモリーカード（登録商標）、メモリースティック（登録商標）、等の不揮発性メモリーや、ＣＤ（コンパクトディスク）、ＤＶＤ、フロッピーディスク（登録商標）、ＭＯ（Ｍａｇｎｅｔｏ  Ｏｐｔｉｃａｌ  Ｄｉｓｃの略、光磁気ディスク）等のリムーバブルディスクを含めることができ、スライドデータ入力部１５は、これらの「記憶媒体」に対応したインターフェースとなっている。
【００２７】
スライドデータ入力部１５により、「記憶媒体」に記憶された「スライドデータ」や、「コンピュータ装置」等から出力される「スライドデータ」を、記憶部１９に取得する。なお、「コンピュータ装置」には、ウインドウズ（登録商標）、マッキントッシュ（登録商標）、リナックス（登録商標）、ＭＳ−ＤＯＳ（登録商標）等のＯＳ（オペレーティングシステム）を用いた、いわゆるパーソナルコンピュータや、ＰＤＡ（Ｐｅｒｓｏｎａｌ  Ｄｉｇｉｔａｌ  Ａｓｓｉｓｔａｎｔの略、携帯情報端末）、ワークステーション、大型汎用コンピュータ等が含まれる。図２に示された実施形態では、ＵＳＢメモリー１６がスライドデータ入力部手段１５に接続していて、このスライドデータ入力部１５からＵＳＢメモリー１６に記憶された「スライドデータ」を、記憶部１９に取得するようになっている。
【００２８】
なお、「スライドデータ」は少なくとも１つのスライド８０から構成され、「スライドデータ」のフォーマットとしては、ＪＰＥＧ（Ｊｏｉｎｔ  Ｐｈｏｔｏｇｒａｐｈｉｃ  Ｅｘｐｅｒｔｓ  Ｇｒｏｕｐの略）、ＢＭＰ（Ｂｉｔｍａｐの略）、ＴＩＦＦ（Ｔａｇｇｅｄ  Ｉｍａｇｅ  Ｆｉｌｅ  Ｆｏｒｍａｔの略）、ＰＮＧ（Ｐｏｒｔａｂｌｅ  Ｎｅｔｗｏｒｋ  Ｇｒａｐｈｉｃｓの略）、ＧＩＦ（Ｇｒａｐｈｉｃｓ  Ｉｎｅｒｃｈａｎｇｅ  Ｆｏｒｍａｔの略）等のスライドファイルや、「ｐｐｔ」、「ｐｄｆ」、「ｔｘｔ」、「ｈｔｍｌ」等の拡張子のビジネスソフトや各種グラフィカルソフトのファイル形式も含まれる。「スライドデータ」については、後で詳細に説明をする。
【００２９】
２７は画像信号入力部である。この画像信号入力部２７は、「コンピュータ装置」等から出力される「画像信号」が入力されて、画像処理回路２８に出力するものであり、例えば、ＶＧＡ（Ｖｉｄｅｏ  Ｇｒａｐｈｉｃｓ  Ａｒｒａｙの略）や、Ｄ−ＳＵＢ端子、ＤＶＩ−Ｄ端子等である。しかし、本発明では、スクリーン７５に投影する「スライドデータ」を、スライドデータ入力部１５で取得するので、スライド信号入力部２７は表示装置本体１には必ずしも必須ではない。
【００３０】
画像処理回路２８は、スライドデータ入力部１５から入力された「スライドデータ」を、バス１０を経由して取得し、必要に応じてシャープネス補正、ガンマ補正、コントラスト補正、ホワイトバランス補正、台形補正等のスライド処理を行い、ＬＣＤ駆動回路３０に出力するものである。ＬＣＤ駆動回路３０は、画像処理回路２８から取得した「スライドデータ」に基づいて、ＬＣＤ２４の信号電極に印加する信号電極駆動信号、及び走査電極に印加する走査電極駆動信号を出力する。ＬＣＤ２４は、ＬＣＤ駆動回路３０から取得した信号電極軌道信号及び走査電極駆動信号に基づいてスライド８０を生成する。
【００３１】
これら、ランプ駆動回路２１、光源２２、照明光学系２３、ＬＣＤ２４、結像光学系２５、画像処理回路２８及びＬＣＤ駆動回路３０とから、スライド８０をスクリーン７５に投影して表示する表示部２が構成されている。
【００３２】
操作パネル１４は、スライド表示装置本体１の筐体に設けられている。赤外線受信部１８は、リモートコントローラ４０から送信される赤外線を受信するためのものである。視聴者が、操作パネル１４やリモートコントローラ４０（以下「操作部」とする）を用いて操作を行うと、ＣＰＵ１１は、操作内容に応じた制御を実行するようになっている。視聴者が「操作部」を操作することにより、スライド表示装置本体１の各種設定や、表示部２で表示する個々のスライド８０の一時停止、飛ばし、戻し、指定等ができるようになっている。視聴者９０が「操作部」を操作すると、個々のスライド８０の一時停止、飛ばし、戻し、指定等の「操作情報」が記憶部１９に記憶されるようになっている。
【００３３】
タグリーダ１７は、視聴者９０が所持する電子タグ５０を認識することにより、スライド表示装置本体１の近傍に居る視聴者９０の人数を計数したり、前記電子タグ５０内に記憶された「視聴者情報」を読み取ったりするものである。電子タグ５０は、タグリーダ１７が発信した電波を電磁誘導などの仕組みで電流を発生させて、「視聴者情報」を電波で送信するパッシブ式のものであっても、電子タグ５０自身が電波を発して、「視聴者情報」を電波で送信するアクティブ式のものであってもよい。タグリーダ１７と電子タグ５０電子タグ５０との距離が所定以下になった場合に、つまり、電子タグ５０が発する電波をタグリーダ１７が受信できた場合に、電子タグ５０を認識し、電子タグ５０に記憶された「視聴者情報」を読み取るようになっている。
【００３４】
図３に「スライドデータ」の構造の説明図を示す。図３に示されるように、スライドデータ２００は、先頭から、ヘッダ２１０、スライド情報２２０、スライド２４０となっていて、その後に、スライド情報２５０とスライド２６０というように、「スライド情報」と「スライド」が繰り返し続くようになっている。スライド情報２２０は、スライド２４０の各種情報であり、ＩＤ２２１、予定表示時間２２２、重要度２２３、飛ばした回数２２４、戻った回数２２５、指定表示回数２２６、一次停止回数２２７、表示回数２２８、人数増加回数２２９、人数減少回数２３０、表示時間２３１とから構成されている。スライド情報２２０のうち、飛ばした回数２２４、戻った回数２２５、指定表示回数２２６、一次停止回数２２７、表示回数２２８、人数増加回数２２９、人数減少回数２３０、表示時間２３１を、以下「操作情報」とする。
【００３５】
ＩＤ２２１は、スライド２４０のＩＤ番号であり、スライド２４０と他の「スライド」とを区別するためのものである。予定表示時間２２２は、当初予定しているスライド２４０の表示時間である。重要度２２３は、スライド２４０の表示順序や表示時間を決定するための因数である。飛ばした回数２２４は、視聴者９０が、「操作部」を操作することにより、スライド２４０から次のスライド２６０等に飛ばした回数の合計である。戻った回数２２５は、スライド２６０からスライド２４０に戻った回数の合計である。指定表示回数２２６は、後述するようにスライド８０の一覧表示から、視聴者９０が「操作部」を操作することにより、スライド２４０を指定した回数の合計である。一次停止回数２２７は、視聴者９０が「操作部」を操作することにより、スライド２４０を一次停止した回数の合計である。表示回数２２８は、スライド２４０が表示部２で表示された回数の合計である。人数増加回数２２９は、スライド２４０が表示部２で表示されている際に、視聴者９０が増加した回数である。人数減少回数２３０は、スライド２４０が表示部２で表示されている際に、視聴者９０が減少した回数である。なお、タグリーダ１７が、視聴者９０が所持している電子タグ５０を認識したり、タグリーダ１７が認識している前記電子タグ５０が認識されなくなったりすることにより、スライド２４０が表示部２で表示している際に視聴者９０の増減が計数されるようになっている。表示時間２３１は、スライド２４０が表示部２で表示された時間の合計である。
【００３６】
重要度決定手段１２ａは、記憶部１９に記憶された「操作情報」に基づいて個々のスライド８０の「重要度」を決定するものである。重要度決定手段１２ａが個々のスライド８０の「重要度」を決定すると、個々のスライド８０の「スライド情報」内の「重要度」を書き換えるようになっている。「重要度」については、後で詳細に説明をする。
【００３７】
表示決定手段１２ｂは、重要度決定手段１２ａが決定した「重要度」に基づいて、個々のスライド８０の表示部２での表示スライドの選択、表示順序や表示時間を決定するものである。
【００３８】
（第１の実施形態）
（メインフローの説明）
次に第１の実施形態を説明する。図４にメインフローのフロー図を示す。メインフローが開始すると、Ｓ１２「スライドデータ読込」の処理に進む。Ｓ１２の処理において、重要度決定手段１２ａは、「スライドデータ」を読み込む。Ｓ１２の処理が終了すると、Ｓ１３「重要度設定あり？」の判断に進む。
【００３９】
Ｓ１３「重要度設定あり？」の判断において、重要度決定手段１２ａが、「スライドデータ」内に「重要度」の設定があると判断した場合には、Ｓ１４「重要度更新」の処理に進む。一方で、Ｓ１３の判断において、重要度決定手段１２ａは、「スライドデータ」内に「重要度」の設定が無いと判断した場合には、Ｓ１８「標準リストのスライド設定」に進み、図５に示されるような「標準リスト」に従って、個々のスライド８０の表示順や表示時間を設定し、Ｓ１６「スライド表示」に進んで、Ｓ１８の処理で設定した表示順や表示時間に従って、個々のスライドを表示部２で表示する。
【００４０】
Ｓ１４「重要度更新」の処理において、重要度決定手段１２ａは、「重要度」を更新する処理をする。Ｓ１４の処理は後で詳細に説明をする。Ｓ１４の処理が終了すると、Ｓ１５「重要度順に並び替え」の処理に進む。
【００４１】
図６に重要度更新の説明図を示す。
Ｓ１５「重要度順に並び替え」の処理において、表示決定手段１２ｂは、図６に示されるように、Ｓ１４の処理で重要度決定手段１２ａが決定した「重要度」に基づいて、個々のスライド８０を「重要度」順に並び替える処理をする。Ｓ１５の処理が終了すると、Ｓ１６「スライド表示」の処理に進む。
【００４２】
Ｓ１６「スライド表示」の処理において、表示部２はＳ１５の処理で並び替えられた個々のスライド８０を順次表示する処理を行う。Ｓ１６「スライド表示」の処理については、後で詳細に説明をする。Ｓ１６の処理が終了すると一連のメインフローが終了する。
【００４３】
（重要度更新フローの説明）
図７に重要度更新フローのフロー図を示して、Ｓ１４「重要度更新」の説明をする。重要度更新フローが開始すると、図４のＳ１４から図７のＳ１４２「順次スライド情報指定」の処理に進む。Ｓ１４２の処理において、重要度決定手段１２ａは、記憶部１９に記憶されている、スライドデータ２００内の「スライド情報」を指定して読み込む。最初は、スライド情報２２０を指定して読み込む。Ｓ１４２の処理が終了すると、Ｓ１４３「重要度更新条件を満たしているか」の判断に進む。
【００４４】
Ｓ１４３「重要度更新条件を満たしているか」の判断において、重要度決定手段１２ａは、スライド情報２２０に含まれる、「操作情報」である、飛ばした回数２２４、戻った回数２２５、指定表示回数２２６、一次停止回数２２７、表示回数２２８、人数増加回数２２９、人数減少回数２３０、表示時間２３１が重要度更新条件を満たしているかを判断する。図８に本実施形態の重要度更新条件の一例を示す。
本実施形態では図８に示されるように、
飛ばした回数２２４が５増加するごとに、重要度が１減少する。
戻った回数２２５が５増加するごとに重要度が１増加する。
指定表示回数２２６が５増加するごとに、重要度が１増加する。
一次停止回数２２７が５増加するごとに、重要度が１増加する。
表示回数２２８が、全スライド８０の平均表示回数に０．５を乗じた数よりも小さい場合には、重要度が１減少する。
表示回数２２８が、全スライド８０の平均表示回数に１．５を乗じた数以上場合には、重要度が１増加する。
人数増加回数２２９が、スライド２４０の表示中に１増加する度に（後述するようにスライド８０が表示中に視聴者９０の人数が５人増加する度に）、重要度が１増加する。
人数減少回数２３０が、スライド２４０の表示中に１減少する度に（後述するようにスライド８０が表示中に視聴者９０の人数が５人減少する度に）、重要度が１減少する。
表示時間２３１が、全スライド８０の平均表示時間に０．５を乗じた時間よりも小さい場合には、重要度が１減少する。
表示時間２３１が、全スライド８０の平均表示時間に１．６を乗じた時間よりも大きい場合には、重要度が１増加する。
なお、本発明の重要度更新条件は、図８に示される重要度更新条件に限定されるものではない。
Ｓ１４３の判断において、重要度決定手段１２ａが、「操作情報」が前記した重要度更新条件を満たしていると判断した場合には、Ｓ１４４「重要度更新」の処理に進む。一方で、Ｓ１４３の判断において、重要度決定手段１２ａが、「操作情報」が前記した重要度更新条件を満たしていないと判断した場合には、Ｓ１４５「全重要度更新完了」の判断に進む。
【００４５】
Ｓ１４４「重要度更新」の処理において、重要度決定手段１２ａは、Ｓ１４３の判断に基づいて、当初設定されていた重要度２２３を加減することにより、重要度２２３を更新する処理をする。Ｓ１４４の処理が終了すると、Ｓ１４５「全重要度更新完了？」の判断に進む。
【００４６】
Ｓ１４５「全重要度更新完了？」の判断において、重要度決定手段１２ａは、全ての「スライド情報」の「重要度」が更新されているか判断をする。Ｓ１４５の判断において、重要度決定集散１２ａが、全ての「スライド情報」の「重要度」が更新されていないと判断した場合には、Ｓ１４２の処理に戻って、Ｓ１４２〜Ｓ１４４の処理を順次行う。Ｓ１４５の判断において、重要度決定集散１２ａが、全ての「スライド情報」の「重要度」が更新されていると判断した場合には、重要度更新フローが終了し、図４のＳ１５「重要度順に並び替え」の処理に進む。
【００４７】
（スライド表示フローの説明）
図９にスライド表示フローのフロー図を示して、Ｓ１６「スライド表示」の説明をする。スライド表示フローが開始すると、図４のＳ１６「スライド表示」の処理から、図９のＳ１６１「表示スライド選択」の処理に進む。Ｓ１６１の処理において、表示決定手段１２ｂは、「スライドデータ」から、所定の数値以上の「重要度」のスライド３０を選択する処理をする。本実施形態では、表示決定手段１２ｂは、「重要度」が０より大きいスライド３０を選択する処理をする。スライド８０の「重要度」が０より大きい場合には、Ｓ１６２「スライドの重要度＞０」から、Ｓ１６３「スライド表示時間計算」の処理に進む。一方で、スライド８０の「重要度」が０以下の場合には、Ｓ１６２「スライドの重要度＞０」から、Ｓ１７０「全スライド表示終了？」の判断に進む。
【００４８】
Ｓ１６３「スライド表示時間計算」の処理において、表示決定手段１２ｂは、「スライド情報」内に記憶されている「予定表示時間」（スライド２４０の場合には予定表示時間２２２）に、Ｓ１４の処理で更新された「重要度」を加味して、スライド８０の「表示時間」を決定する。具体的には、Ｓ１６２の処理において表示されるスライド８０の「重要度」が、全てのスライド８０の「重要度」の平均よりも小さい場合には、例えば、スライド８０の「予定表示時間」に、全てのスライド８０の「重要度」の平均以下の「重要度」の値に所定の係数を乗じた値を減じて「表示時間」を算出する。一方で、Ｓ１６２の処理において表示されるスライド８０の「重要度」が、全てのスライド８０の「重要度」の平均より大きい場合には、例えば、スライド８０の「予定表示時間」に、全てのスライド８０の「重要度」の平均以上の「重要度」の値に所定の係数を乗じた値を加えて「表示時間」を算出する。Ｓ１６３の処理が終了すると、Ｓ１６４「順次スライド表示」の処理に進む。
【００４９】
Ｓ１６４の処理において、Ｓ１５「重要度順に並び替え」の処理で、表示決定手段１２ｂが、「重要度」順に並び替えたスライド８０の先頭の１つを、Ｓ１６３の処理で算出された「表示時間」の間、表示部２で表示する。Ｓ１６４の処理が終了すると、Ｓ１６５「視聴人数記憶」の処理に進む。
【００５０】
Ｓ１６５「視聴人数記憶」の処理において、重要度決定手段１２ａは、スライド８０が表示部２で表示されている間、タグリーダ１７が認識した視聴者９０の人数を計数して記憶部１９に記憶する。Ｓ１６５の処理が終了すると、Ｓ１６６「表示回数＋１」の処理に進む。
【００５１】
Ｓ１６６「表示回数＋１」の処理において、重要度決定手段１２ａは、表示部２で表示されているスライド８０の「表示回数」を１つ増加して記憶部１９に記憶する。Ｓ１６６の処理が終了するとＳ１６７「操作情報記憶」の処理に進む。
【００５２】
Ｓ１６７「操作情報記憶」の処理において、重要度決定手段１２ａは、視聴者９０が「操作部」を操作した情報である「操作情報」の「飛ばした回数」、「戻った回数」、「一次停止回数」を係数し、「操作情報」を更新して記憶部１９に記憶する。Ｓ１６７の処理が終了すると、Ｓ１６８「視聴者増減回数更新」の処理に進む。
【００５３】
図１０に視聴者操作フローのフロー図を示し、より詳細にＳ１６７の処理について説明をする。視聴者操作フローが開始すると、Ｓ１６７「操作情報記憶」から、図１０のＳ５０２「視聴者操作あり？」の判断に進む。Ｓ５０２の判断において、重要度決定手段１２ａは、視聴者９０が「操作部」を操作したかを判断する。重要度決定手段１２ａが、視聴者９０が「操作部」を操作したと判断した場合には、Ｓ５０３「スライドを飛ばした？」の判断に進む。一方で、重要度決定手段１２ａが、視聴者９０が「操作部」を操作していないと判断した場合には、視聴者操作フローが終了する。
【００５４】
Ｓ５０３「スライドを飛ばした？」の判断において、重要度決定手段１２ａが、視聴者９０が「操作部」を操作して、表示部２で表示されているスライド８０を飛ばしたと判断した場合には、Ｓ５０６「飛ばした回数＋１」を処理に進み、表示部２で表示されているスライド８０の「操作情報」の「飛ばした回数」を１つ増加させて記憶部１９に記憶して、視聴者操作フローが終了する。一方で、Ｓ５０３の判断において、視聴者９０が「操作部」を操作することなく、重要度決定手段１２ａが、表示部２で表示されているスライド８０を飛ばさなかったと判断した場合には、Ｓ５０４「スライドを戻した」の判断に進む。
【００５５】
Ｓ５０４「スライドを戻した」の判断において、重要度決定手段１２ａが、視聴者９０が「操作部」を操作して、表示部２で表示されているスライド８０から、前回表示されたスライド８０に戻したと判断した場合には、Ｓ５０７「前のスライドに戻った回数＋１」の処理に進み、前回表示されたスライド８０の「操作情報」の「戻った回数」を１つ増加させて記憶部１９に記憶して、視聴者操作フローが終了する。一方で、Ｓ５０４の判断において、視聴者９０が「操作部」を操作することなく、重要度決定手段１２ａが、表示部２で表示されているスライド８０から、前回表示されたスライド８０に戻さなかったと判断した場合には、Ｓ５０５「スライド一次停止？」の判断に進む。
【００５６】
Ｓ５０５「スライド一次停止？」の判断において、重要度決定手段１２ａが、視聴者９０が「操作部」操作して、表示部２で表示されているスライド８０を一次停止したと判断した場合には、Ｓ５０８「一次停止回数＋１」の処理に進み、表示部２で表示されているスライド８０の「操作情報」の「一次停止回数」を１つ増加させて記憶部１９に記憶して、Ｓ５０９「視聴者操作終了？」の判断に進む。一方で、Ｓ５０５の判断において、視聴者９０が「操作部」操作することなく、重要度決定手段１２ａが、表示部２で表示されているスライド８０を一次停止しなかったと判断した場合には、Ｓ５０９「視聴者操作終了？」の判断に進む。
【００５７】
Ｓ５０９「視聴者操作終了？」の判断において、重要度決定手段１２ａが、視聴者９０の操作が終了したと判断した場合には、一連の視聴者操作フローが終了する。例えば、視聴者９０が、「操作部」を所定時間操作しなかった場合には、重要度決定手段１２ａは、視聴者９０の操作が終了したと判断する。一方で、Ｓ５０９の判断において、重要度決定手段１２ａが、視聴者９０の操作が終了していないと判断した場合には、Ｓ５０２の処理に戻る。
【００５８】
視聴者操作フローが終了すると、Ｓ１６８「視聴者増減回数更新」の処理に進む。図１１に視聴者増減回数更新フローのフロー図を示す。視聴者増減回数更新フローが開始すると、図９のＳ１６８の処理から図１１のＳ６０２「視聴者が５人以上増加」の判断に進む。Ｓ６０２の判断において、重要度決定手段１２ａが、視聴者９０が５人以上増加したと判断した場合には、Ｓ６０４「人数増加回数＋１」の処理に進む。Ｓ６０４の処理において、重要度決定手段１２ａは、表示部２で表示しているスライド８０の「操作情報」の「人数増加回数」を１つ増加させて記憶部１９に記憶し、視聴者増減回数更新フローが終了する。一方で、Ｓ６０２の判断において、重要度決定手段１２ａが、視聴者が５人以上増加したと判断しない場合には、Ｓ６０３「視聴者が５人以上減少」の判断に進む。
【００５９】
Ｓ６０３「視聴者が５人以上減少」の判断において、重要度決定手段１２ａが、視聴者９０が、５人以上減少したと判断した場合には、Ｓ６０５「人数減少回数＋１」の処理に進む。Ｓ６０５の処理において、重要度決定手段１２ａは、表示部２で表示しているスライド８０の「操作情報」の「人数減少回数」を１つ増加させて記憶部１９に記憶する。一方で、Ｓ６０３の判断において、重要度決定手段１２ａが、視聴者が５人以上減少したと判断しない場合には、視聴者増減回数更新フローが終了する。視聴者増減回数更新フローが終了すると、図９のＳ１６９「表示時間記憶」の処理に進む。
【００６０】
Ｓ１６９「表示時間記憶」の処理において、重要度決定手段１２ａは、表示部２で表示されているスライド８０の「表示時間」を記憶部１９に記憶する。つまり、視聴者９０が、「操作部」を操作することにより、表示部２で表示しているスライド８０を一次停止した場合には、一次停止した分だけ、表示部２で表示しているスライド８０の「表示時間」が長くなる。一方で、視聴者９０が、「操作部」を操作することにより、表示部２で表示しているスライド８０を飛ばしたり、前回表示したスライド８０に戻したりした場合には、表示部２で表示しているスライド８０の「表示時間」は短くなる。Ｓ１６９の処理が終了すると、Ｓ１７０「全スライド表示終了」の判断に進む。
【００６１】
Ｓ１７０「全スライド表示終了」の判断において、重要度決定手段１２ａが、「スライドデータ」内のスライド８０を全て表示部２で表示したと判断した場合には、Ｓ１７１「一覧表示」の処理に進む。一方で、Ｓ１７０の判断において、重要度決定手段１２ａが、「スライドデータ」内のスライド８０を全て表示部２で表示していないと判断した場合には、Ｓ１７０の処理に戻り、「スライドデータ」内のスライド８０が全て表示部２で表示されるまで、表示部２で表示されるスライド８０に順次、Ｓ１６１〜Ｓ１６９の処理を行う。
【００６２】
図１２に一覧表示フローのフロー図を示し、図１３に一覧表示の説明図を示し、一覧表示フローの説明をする。一覧表示フローが開始すると、図９のＳ１７１から図１２のＳ９０２「一覧表示」の処理に進み、表示部２は図１３に示されるように複数のスライド８０を１つの領域に並列して一覧表示する。図１３に示される実施形態では、スライド８０を縦２行、横３列にして一覧表示しているが、Ｓ９０２の処理におけるスライド８０の一覧表示はこれに限定されるものではない。Ｓ９０２の処理が終了すると、Ｓ９０３「スライドの指定がある？」の判断に進む。
【００６３】
Ｓ９０３「スライドの指定がある？」の判断で、視聴者９０が「操作部」を操作することにより、一覧表示されたスライド８０の中から、いずれか１のスライド８０を指定したと判断した場合には、Ｓ９０４「指定されたスライドを表示」の処理に進む。一方で、Ｓ９０３の判断で、視聴者９０が一覧表示されたスライド８０の中から、スライド８０を選択しなかったと判断した場合（例えば所定時間、視聴者９０が「操作部」を操作しなかった場合）には、Ｓ９０６「表示終了？」の判断に進む。
【００６４】
Ｓ９０４「指定されたスライドを表示」の処理において、表示部２は、視聴者９０が指定したスライド８０を表示する。Ｓ９０４の処理が終了すると、Ｓ９０５「指定されたスライドの指定表示回数＋１」の処理に進む。
【００６５】
Ｓ９０５「指定されたスライドの指定表示回数＋１」の処理において、重要度決定手段１２ａは、Ｓ９０４の処理で表示部２が表示しているスライド８０の「スライド情報」の「指定表示回数」を１増加させて、記憶部１９に記憶する。Ｓ９０５の処理が終了すると、Ｓ９０６「表示終了？」の判断に進む。
【００６６】
Ｓ９０６「表示終了？」の判断で、視聴者９０が「操作部」を操作することにより、スライド８０の表示の終了を選択した場合には、一覧表示フローは終了し（図９のＳ１７１「一覧表示」の処理は終了し）、図４に示されるメインフローも終了する。一方で、視聴者９０がスライド８０の表示の終了を選択しなかった場合には、Ｓ９０２の処理に戻って、再びスライド８０の一覧表示を行う。
【００６７】
このように、第１の実施形態によれば、視聴者９０が「操作部」を操作した「操作情報」に基づいて「重要度」を決定し、この「重要度」に基づいて、個々のスライド８０の表示順序や表示時間を決定することとしたので、視聴者９０の関心の高いスライド８０を優先的に表示し、また、視聴者９０の関心の高いスライド８０をより長時間表示することが可能となった。
【００６８】
（第２の実施形態）
図１４に第２の実施形態のフロー図を示し、図１５に第２の実施形態のスライド情報の説明図を示し、以下、第２の実施形態について説明をする。この第２の実施形態は、視聴者９０が所持する電子タグ５０に記憶された視聴者９０の「視聴者情報」を、タグリーダ１７で読み取り、この「視聴者情報」に基づいて、表示部２で表示するスライド８０を選択し、表示順序及び表示時間を決定する実施形態である。なお、電子タグ５０は、視聴者９０の展示会への入場証として、視聴者９０の氏名、所属（会社名）、職種、年齢等、視聴者９０の属性や来場目的等に関する「視聴者情報」が予め記憶されている。この第２の実施携帯では、図１５に示されるように「スライドデータ」の「スライド」は、視聴者９０の属性や来場目的に対応するように複数の「スライド情報」を有している。
【００６９】
第２の実施形態のフローが開始すると、Ｓ４０１「視聴者情報取得」の処理に進み、ＣＰＵ１１が、タグリーダ１７を介して、ある特定の視聴者９０の「視聴者情報」を電子タグ５０から読み取り、Ｓ４１１「視聴者情報あり？」の判断からスライド選択処理Ｓ４３１の処理に進む。
【００７０】
一方で、Ｓ４１１の判断において、ＣＰＵ１１が、視聴者９０が所持する電子タグ５０に「視聴者情報」がないと判断した場合には、Ｓ４４０「標準リストのスライド設定」の処理に進む。Ｓ４４０の処理において、表示決定手段１２ｂは、図５に示されるような「標準リスト」に基づいて、スライド８０の表示順や表示時間を設定する。Ｓ４４０の処理が終了すると、Ｓ４３５「スライド表示」の処理に進む。このＳ４３５「スライド表示」の処理は、図９に示されるスライド表示フローと同様の処理を実行する。Ｓ４３５の処理が終了すると、第２の実施形態のフローが終了する。
【００７１】
Ｓ４３１「スライド選択処理」の処理において、重要度決定手段１２ａは、Ｓ４０１の処理で取得した「視聴者情報」の視聴者９０の「属性」および「来場目的」と一致する「属性」及び「来場目的」の「スライド情報」を選択する。例えば、視聴者９０の「属性」が「技術」であり、「来場目的」が「商談専門情報収集」である場合には、個々の「スライド」について、「属性」及び「来場目的」がそれぞれ「技術」：「商談専門情報収集」の「スライド情報」（図１５において上から２番目の「スライド情報」）を選択する。Ｓ４３１の処理が終了すると、Ｓ４３２「重要度等設定あり？」の判断に進む。
【００７２】
Ｓ４３２「重要度等設定あり？」の判断において、重要度決定手段１２ａが、Ｓ４３１の処理において選択した「スライドデータ」内に「重要度」や「操作情報」の設定があると判断した場合には、Ｓ４３３「重要度更新」の処理に進む。
【００７３】
一方で、Ｓ４３１の判断において、重要度決定手段１２ａが、Ｓ４３１の処理で選択した「スライドデータ」内に「重要度」や「操作情報」の設定が無いと判断した場合には、Ｓ４４０「標準リストのスライド設定」に進む。Ｓ４４０の処理において、表示決定手段１２ｂは、図５に示されるような「標準リスト」に基づいて、スライド８０の表示順や表示時間を設定する。Ｓ４４０の処理が終了すると、Ｓ４３５「スライド表示」の処理に進む。このＳ４３５「スライド表示」の処理は、図９に示されるスライド表示フローと同様の処理を実行する。Ｓ４３５の処理が終了すると、第２の実施形態のフローが終了する。
【００７４】
Ｓ４３３「重要度更新」の処理において、重要度決定手段１２ａは、「重要度」を更新する処理をする。Ｓ４３３の処理は、図７に示される重要度更新フローと同様の処理を実行する。Ｓ４３３の処理が終了すると、Ｓ４３４「重要度順に並び替え」の処理に進む。
【００７５】
Ｓ４３４「重要度順に並び替え」の処理において、表示決定手段１２ｂは、Ｓ４３３の処理で更新された「スライド」の「重要度」が、所定の数値以上の「スライド」のみを選択して「重要度」順に並び替える処理をする。つまり第２の実施形態では、Ｓ４３３の処理で更新された「スライド」の「重要度」が、所定の数値以下の場合には、当該「スライド」は選択されず、表示部２で表示されない。Ｓ４３４の処理が終了すると、Ｓ４３５「スライド表示」の処理に進む。
【００７６】
Ｓ４３５「スライド表示」の処理において、表示部２はＳ４３４の処理で並び替えられた個々のスライド８０を順次表示する処理を行う。このＳ４３４「スライド表示」の処理は、図９に示されるスライド表示フローと同様の処理を実行する。Ｓ４３４の処理が終了すると一連のメインフローが終了する。
【００７７】
このように、第２の実施形態では、タグリーダ１７で、視聴者９０の「視聴者情報」を読み取ることにより、視聴者９０の「属性」や「来場目的」に合わせた「スライド情報」を選択するので、視聴者９０の関心が高い「スライド」のみが優先的に表示され、また、視聴者９０の関心の高い「スライド」がより長く表示されることとなる。
【００７８】
なお、スライド表示装置１の一例として、プロジェクタを用いた例について本発明を説明したが、本発明のスライド表示装置は、プロジェクタに限定されず、その他ブラウン管（陰極線管、ＣＲＴ（Ｃａｔｈｏｄｅ  Ｒａｙ  Ｔｕｂｅ）ともいう）、液晶ディスプレー、有機ＥＬディスプレー、プラズマディスプレー、リアプロジェクションディスプレー、プラズマアドレス液晶ディスプレー等のスライド表示装置にも本発明を適用可能なことは言うまでもない。
【００７９】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴うスライド表示装置もまた技術的範囲に包含されるものとして理解されなければならない。
【図面の簡単な説明】
【００８０】
【図１】本発明の実施の形態を示す全体概要図である。
【図２】スライド表示装置の構成図である。
【図３】スライドデータの構造の説明図である。
【図４】メインフローのフロー図である。（第１の実施形態）
【図５】標準リストの説明図である。
【図６】重要度更新の説明図である。
【図７】重要度更新フローのフロー図である。
【図８】重要度更新条件の説明図である。
【図９】スライド表示のフローのフロー図である。
【図１０】視聴者操作フローのフロー図である。
【図１１】視聴者増減回数更新フローのフロー図である。
【図１２】一覧表示フローのフロー図である。
【図１３】一覧表示の説明図である。
【図１４】第２の実施形態のフロー図である。
【図１５】第２の実施形態のスライド情報の説明図である。
【符号の説明】
【００８１】
１      スライド表示装置本体
２      表示部
１０    バス
１１    ＣＰＵ
１２    ＲＯＭ
１２ａ  重要度決定手段
１２ｂ  表示決定手段
１３    ＲＡＭ
１４    操作パネル
１５    スライドデータ入力部
１６    ＵＳＢメモリー
１７    タグリーダ
１８    赤外線受信部
１９    記憶部
２１    ランプ駆動回路
２２    光源
２３    照明光学系
２４    ＬＣＤ
２５    結像光学系
２６    ピント調節機構
２７    画像信号入力部
２８    画像処理回路
２９    バス
３０    ＬＣＤ駆動回路
４０    リモートコントローラ
５０    電子タグ
７５    スクリーン
８０    スライド
９０    視聴者
１００  スライド表示装置
２００  スライドデータ
２１０  ヘッダ
２２０  スライド情報
２２１  ＩＤ
２２２  予定表示時間
２２３  重要度
２２４  飛ばした回数
２２５  戻った回数
２２６  指定表示回数
２２７  一次停止回数
２２８  表示回数
２２９  人数増加回数
２３０  人数減少回数
２３１  表示時間
２４０  スライド
２５０  スライド情報
２６０  スライド
【図１】
2009042336.tif 000003
【図２】
2009042336.tif 000004
【図３】
2009042336.tif 000005
【図４】
2009042336.tif 000006
【図５】
2009042336.tif 000007
【図６】
2009042336.tif 000008
【図７】
2009042336.tif 000009
【図８】
2009042336.tif 000010
【図９】
2009042336.tif 000011
【図１０】
2009042336.tif 000012
【図１１】
2009042336.tif 000013
【図１２】
2009042336.tif 000014
【図１３】
2009042336.tif 000015
【図１４】
2009042336.tif 000016
【図１５】
2009042336.tif 000017